(57)【要約】  【課題】  保護カバーが簡単に着脱でき、操作部に保護カバーを着脱するための専用の形状、部品を設けなくてもよい溶接装置の提供を目的とする。  【解決手段】  溶接電流や溶接電圧等を設定するコントローラ１の前面に配置した操作部２のスイッチやつまみ３、表示器４等を保護する透明軟質シート６と、透明軟質シート６の上端に略コの字形状板ばね８を有する保護カバー５を操作部近辺の端部７に略コの字形状板ばね８により挟んで固定する。【選択図】  図１
2005246430.tif 000002
【特許請求の範囲】
【請求項１】
操作部を保護する透明軟質シートと、前記透明軟質シートの上端に略コの字形状板ばねを有する保護カバーを前記操作部近辺の端部に前記略コの字形状板ばねにより挾んで固定した溶接装置。
【請求項２】
略コの字形状板ばねは金属製で両端にＲ加工を形成した請求項１記載の溶接装置。
【請求項３】
略コの字形状板ばねと透明軟質シートを着脱可能とした請求項１記載の溶接装置。
【請求項４】
操作部を保護する透明軟質シートと、前記透明軟質シートの上端に略Ｃ形状ばねを有する保護カバーを前記操作部近辺の端部に前記略Ｃ形状ばねにより挾んで固定した溶接装置。
【請求項５】
略Ｃ形状ばねは金属製で両端にＲ加工を形成した請求項４記載の溶接装置。
【発明の詳細な説明】
【技術分野】
【０００１】
本発明は、溶接作業時のスパッターや粉塵から操作スイッチや計器を保護する保護カバーを設けた溶接装置に関するものである。
【背景技術】
【０００２】
従来、この種の溶接装置の保護カバーとしては、例えば、特許文献１に記載されているようなものがあった。
【０００３】
図７はこのような従来の操作パネルの保護カバーを示している。
【０００４】
図７において、操作パネル１００に対して透明アクリル板の保護カバー１０１が開いた状態で、保護カバー１０１はその基端緑部に貫入された回転軸１０２により操作パネル１００に軸支され、回転軸１０２を中心にして保護カバー１０１が開閉する。
【０００５】
図８は上記保護カバー１０１に貫入された回転軸１０２の部分断面図で、回転軸１０２は操作パネル１００の内側面に形成された軸受け孔１０３に回転可能に軸支されている。
【特許文献１】実開平７−３３４７０号公報（第２頁、第１図、４図）
【発明の開示】
【発明が解決しようとする課題】
【０００６】
しかしながら、前記従来の構成では、保護カバー１０１が汚損又は破損により保護カバー１０１を交換する場合、保護カバー１０１は回転軸１０２により軸受け孔１０３に軸支されているので保護カバー１０１の取り外しが困難になっていた。
【０００７】
また、保護カバー１０１を開閉するため操作パネル１００の内側面に軸受け孔１０３を一対専用に設ける必要があった。
【０００８】
したがって本発明は、上記従来の課題を解消し保護カバーが簡単に着脱でき、操作部に保護カバーを着脱するための専用の形状、部品を設けなくてもよい溶接装置を提供することを目的とする。
【課題を解決するための手段】
【０００９】
上記目的を達成するため、本発明の溶接装置の第１手段は、操作部を保護する透明軟質シートと、透明軟質シートの上端に略コの字形状板ばね、または略Ｃ形状ばねを有する保護カバーを操作部近辺の端部に略コの字形状板ばね、または略Ｃ形状ばねにより挾んで固定したものである。
【００１０】
この構成によれば、保護カバーに設けられた略コの字形状板ばね、または略Ｃ形状ばねの適正なばねの加圧力によって操作部近辺の端部に挾んで固定しているので、ばねの加圧力以上の力を手で加えることにより簡単に保護カバーを操作部から外すことができる。
【００１１】
また、操作部には保護カバーを着脱するための専用の形状、部品を設けなくても操作部近辺の端部に略コの字形状板ばね、または略Ｃ形状ばねにばねの加圧力以上の力を手で加えることにより簡単に保護カバーを操作部近辺の端部に挾んで固定することができる。
【００１２】
また、本発明の第２手段は、略コの字形状板ばね、または略Ｃ形状を金属製で両端にＲ加工を形成するものである。
【００１３】
この構成によれば、略コの字形状板ばね、または略Ｃ形状を金属製にすることによりばねの耐久性が向上し、両端にＲ加工を形成することにより保護カバーを操作部近辺の端部に挾み込むときに、略コの字形状板ばね、または略Ｃ形状にエッジがないので操作部近辺の端部表面に略コの字形状板ばね、または略Ｃ形状の両端が引っ掛かることなく簡単に装着することができる。
【００１４】
また、操作部近辺の端部表面にエッジにより損傷を加える心配もない。
【発明の効果】
【００１５】
以上のように、本発明の溶接装置によれば、保護カバーが簡単に着脱でき、操作部に保護カバーを着脱するための専用の形状、部品を設けなくてもよいことになる。
【発明を実施するための最良の形態】
【００１６】
以下に、本発明の実施の形態について、図面を参照しながら説明する。
【００１７】
（実施の形態１）
図１は本発明の実施の形態１における溶接装置の側面図、図２は本発明の実施の形態１における溶接装置の斜視図である。
【００１８】
図１において、１は溶接電流や溶接電圧等を設定するコントローラで、このコントローラ1の前面に操作部２を配置しており、この操作部２には溶接電流や溶接電圧等を調整するスイッチやつまみ３、溶接電流値や溶接電圧値等の表示器４が配置されている。
【００１９】
５は溶接作業によって発生するスパッターや周囲の粉塵から操作部２を保護し、かつ操作部２に対して着脱可能な保護カバーで、スパッターや周囲の粉塵から操作部２を保護する透明軟質シート６と、操作部近辺の端部７に保護カバー５を固定する略コの字形状板ばね８と、透明軟質シート６の上端に略コの字形状板ばね８を固定する接合部材９により構成されている。
【００２０】
透明軟質シート６を透明にしているのは透明軟質シート６が操作部２を覆っている状態（保護している状態）で、スイッチ、つまみ３の状態、表示器４の値を確認する為で、また軟質材にすることにより保護カバー５を操作部近辺の端部７に装着した状態で透明軟質シート６を上方に開く（破線で表示）ことができるので、スイッチ、つまみ３の調整が可能となる。
【００２１】
略コの字形状板ばね８は適正なばねの加圧力によって操作部近辺の端部７に挟んで固定する構造であるため、保護カバー５を操作部近辺の端部７に装着する前の略コの字形状板ばね８の両端間の寸法Ｌ１は操作部近辺の端部７の奥行寸法Ｌ２以下にしている。
【００２２】
また、保護カバー５を操作部近辺の端部７に装着したときのばねの加圧力（固定力）は、略コの字形状板ばね８のたわみ（Ｌ２−Ｌ１）、板厚、幅、材料等で決まるので、これらの値は、略コの字形状板ばね８が操作部近辺の端部７に手で着脱できる様にそれぞれ適正値にしている。
【００２３】
略コの字形状板ばね８の材料としては、金属が最適で、金属製にすることによりばねの耐久性が向上する。
【００２４】
また、略コの字形状板ばね８の両端に形成したＲ加工１０により保護カバー５を操作部近辺の端部７に挾み込むときに、略コの字形状板ばね８の両端（差込口）にエッジがないので操作部近辺の端部７表面に略コの字形状板ばね８の両端が引っ掛かることなく簡単に装着することができ、操作部近辺の端部７表面にエッジにより損傷を加える心配もない。
【００２５】
透明軟質シート６の上端に略コの字形状板ばね８を固定する接合部材９としては、ビス，ナット止め、リベットによる接合、樹脂止め具等があり、ビス，ナット止め等にすることにより透明軟質シート６を略コの字形状板ばね８から着脱することができる。
【００２６】
図２において、透明軟質シート６はその上端に設けられた左右２個の略コの字形状板ばね８により保持されているので、透明軟質シート６は操作部２に対して安定的に保護をしている。
【００２７】
この実施の形態１によれば、保護カバー５に設けられた略コの字形状板ばね８の適正なばねの加圧力によって操作部近辺の端部７に挾んで固定しているので、ばねの加圧力以上の力を手で加えることにより簡単に保護カバー５を操作部２から外すことができ、また、操作部２には保護カバー５を着脱するための専用の形状、部品を設けなくても操作部近辺の端部７に略コの字形状板ばね８にばねの加圧力以上の力を手で加えることにより簡単に保護カバー５を操作部近辺の端部７に挾んで固定することができる。
【００２８】
したがって、保護カバー５の汚損又は破損による保護カバー５の交換が簡単で、操作部２には保護カバー５を着脱する専用の形状を必要しない為、今まで市場に供給された溶接装置に対しても、その操作部近辺の端部７の奥行寸法に合わせた略コの字形状板ばね８を製作することにより着脱簡単な保護カバー５を提供することができる。
【００２９】
また、略コの字形状板ばね８の両端に形成したＲ加工１０により更に保護カバー５の操作部近辺の端部７への装着が簡単となる。
【００３０】
また、接合部材９をビス，ナット止め等にすることにより汚損し易い透明軟質シート６のみの交換が可能となる為、経済的である。
【００３１】
（実施の形態２）
本実施の形態において実施の形態１と同様の構成については同一の番号を付して詳細な説明を省略する。
【００３２】
図３は本発明の実施の形態２における溶接装置の側面図、図４は本発明の実施の形態２における溶接装置の斜視図である。
【００３３】
図３において、１１は溶接電流や溶接電圧等を供給する溶接電源で、実施の形態１と異なるのは、透明軟質シート６の上端に略コの字形状板ばね１２を固定する接合部材９の位置を略コの字形状板ばね１２の中央部１３にした点と、略コの字形状板ばね１２によって挟まれる操作部近辺の端部７を溶接電源１１の天板１４の先端部とした点である。
【００３４】
図４において、略コの字形状板ばね１２の数量が実施の形態１と異なり、透明軟質シート６はその上端に設けられた１個の略コの字形状板ばね１２により保持され、この略コの字形状板ばね１２は横手方向に長く操作部近辺の端部７全体を挾んでいるので、透明軟質シート６は操作部２に対して安定的に保護をしている。
【００３５】
この実施の形態２によれば、保護カバー５の汚損又は破損による保護カバー５の交換が簡単で、操作部２には保護カバー５を着脱する専用の形状を必要しないため、今まで市場に供給した溶接装置に対しても、その操作部近辺の端部７の寸法に合わせた略コの字形状板ばね１２を製作することにより着脱簡単な保護カバー５を提供することができる。
【００３６】
また、略コの字形状板ばね１２の両端に形成したＲ加工１０により更に保護カバー５の操作部近辺の端部７への装着が簡単となる。
【００３７】
また、接合部材９をビス，ナット止め等にすることにより汚損し易い透明軟質シート６のみの交換が可能となる為、経済的である。
【００３８】
（実施の形態３）
本実施の形態において実施の形態１、２と同様の構成については同一の番号を付して詳細な説明を省略する。
【００３９】
図５は本発明の実施の形態３における溶接装置の側面図、図６は本発明の実施の形態３における溶接装置の斜視図である。
【００４０】
図５において、１５は溶接作業によって発生するスパッターや周囲の粉塵から操作部２を保護し、かつ操作部２に対して着脱可能な保護カバーで、スパッターや周囲の粉塵から操作部２を保護する透明軟質シート１６と、操作部近辺の端部７に保護カバー１５を固定する線材からなる略Ｃ形状ばね１７により構成されている。透明軟質シート１６の上部には略Ｃ形状ばね１７が貫通する孔１８が設けてあり、この孔１８により透明軟質シート１６が略Ｃ形状ばね１７に保持され、また、自由に透明軟質シート１６を上方に開く（破線で表示）ことができる。
【００４１】
略Ｃ形状ばね１７は適正なばねの加圧力によって操作部近辺の端部７に挟んで固定する構造であるため、保護カバー１５を操作部近辺の端部７に装着する前の略Ｃ形状ばね１７の両端間の寸法Ｌ３は操作部近辺の端部７の寸法Ｌ４以下にしている。
【００４２】
また、保護カバー１５を操作部近辺の端部７に装着したときのばねの加圧力（固定力）は、略Ｃ形状ばね１７のたわみ（Ｌ４−Ｌ３）、線径、線の材料等で
決まるので、これらの値は、略Ｃ形状ばね１７が操作部近辺の端部７に手で着脱できる様にそれぞれ適正値にしている。
【００４３】
略Ｃ形状ばね１７の材料としては、金属が最適で、金属製にすることによりばねの耐久性が向上する。
【００４４】
また、略Ｃ形状ばね１７の両端に形成したＲ加工１９により保護カバー１５を操作部近辺の端部７に挾み込むときに、略Ｃ形状ばね１７の両端（差込口）にエッジがないので操作部近辺の端部７表面に略Ｃ形状ばね１７の両端が引っ掛かることなく簡単に装着することができ、操作部近辺の端部７表面にエッジにより損傷を加える心配もない。
【００４５】
図６において、透明軟質シート１６はその上端に貫入さられた３個の略Ｃ形状ばね１７により保持されているので、透明軟質シート１６は操作部２に対して安定的に保護をしている。略Ｃ形状ばね１７の数量が増えると保護カバー１５の操作部近辺の端部７への固定力は増加するが、数量によって機能は変わらない。
この実施の形態３によれば、保護カバー１５の汚損又は破損による保護カバー１５の交換が簡単で、操作部２には保護カバー１５を着脱する専用の形状を必要しないため、今まで市場に供給された溶接装置に対しても、その操作部近辺の端部７の寸法に合わせた略Ｃ形状ばね１７を製作することにより着脱簡単な保護カバー１５を提供することができる。
【００４６】
また、略Ｃ形状ばね１７の両端に形成したＲ加工１９により更に保護カバー１５の操作部近辺の端部７への装着が簡単となる。
【００４７】
また、略Ｃ形状ばね１７を透明軟質シート１６上部の孔１８より取り外すことにより汚損し易い透明軟質シート１６のみの交換が可能となる為、経済的である。
【図面の簡単な説明】
【００４８】
【図１】（ａ）本発明の実施の形態１における溶接装置の保護カバー部分の側面図、（ｂ）本発明の実施の形態１における保護カバーを装着した状態の溶接装置の側面図
【図２】本発明の実施の形態１における溶接装置の斜視図
【図３】本発明の実施の形態２における溶接装置の側面図
【図４】本発明の実施の形態２における溶接装置の斜視図
【図５】本発明の実施の形態３における溶接装置の側面図
【図６】本発明の実施の形態３における溶接装置の斜視図
【図７】従来の操作パネルの保護カバーの斜視図
【図８】従来の保護カバーに貫入された回転軸の部分断面図
【符号の説明】
【００４９】
２  操作部
５、１５  保護カバー
６、１６  透明軟質シート
７  操作部近辺の端部
８、１２  略コの字形状板ばね
１０，１９    Ｒ加工
１７  略Ｃ形状ばね
【図１】
2005246430.tif 000003
【図２】
2005246430.tif 000004
【図３】
2005246430.tif 000005
【図４】
2005246430.tif 000006
【図５】
2005246430.tif 000007
【図６】
2005246430.tif 000008
【図７】
2005246430.tif 000009
【図８】
2005246430.tif 000010